(57)【要約】【課題】遊技終了時刻に関して遊技場側が望む運用を実現し易くする。【解決手段】遊技場用システム１において、会員遊技者の遊技終了時刻である会員終了時刻を報知するか否かを例えば貸出単価等の遊技種類別に設定可能とし、予め定められた報知条件が成立すると、一般遊技者の遊技終了時刻である一般終了時刻及び会員終了時刻を知らせる遊技終了時刻のアナウンス演出の表示を行うようにした。遊技種類別に会員終了時刻を報知するか否かを遊技場側で選択することができ、遊技者が遅くまで遊技を行いたいと考える度合に応じて会員終了時刻を報知するか否かを決定することや、遊技種類別に遊技終了時刻を異ならせることができる。【選択図】図７
2018175574.tif 000002
【特許請求の範囲】
【請求項１】
会員登録を行った会員遊技者と会員登録を行っていない非会員遊技者とで遊技終了時刻が異なり、遊技機の種類又は使用する遊技価値の単価の種類である遊技種類が異なる複数の遊技機を設置した遊技場に対応した遊技場用システムにおいて、
前記会員遊技者の遊技終了時刻である会員終了時刻、及び前記非会員遊技者の遊技終了時刻である非会員終了時刻を特定可能な終了時刻情報を記憶する終了時刻情報記憶手段と、
前記会員終了時刻を報知する特別報知を実行するか否かを特定可能な報知情報を前記遊技種類別に記憶する報知情報記憶手段と、
複数の遊技機のそれぞれに設けられ、自身が対応する遊技機の前記遊技種類の前記報知情報が前記特別報知を実行することに対応しており、且つ予め定められた報知条件が成立した場合に、遊技者に対して前記特別報知を実行する複数の報知手段と、を備えたことを特徴とする遊技場用システム。
【請求項２】
複数の遊技機のそれぞれに設けられ、前記会員遊技者を識別することが可能な識別情報を記録した記録媒体を受け付ける受付手段と、
前記受付手段が前記記録媒体を受け付けたこと、及び遊技場の従業員による特別操作が行われたことのうち、遊技場の従業員が予め選択した延長条件が成立したことを特定する延長条件特定手段と、を備え、
前記報知手段は、前記非会員終了時刻になってから前記会員終了時刻になるまでの間に前記延長条件が成立した場合に、遊技終了時刻が前記会員終了時刻に延びていることに対応した延長報知を実行することを特徴とする請求項１に記載の遊技場用システム。
【請求項３】
前記報知情報記憶手段は、前記報知情報に加えて遊技者に対して会員登録を促す登録報知を実行するか否かを特定可能な登録情報を記憶するものであり、
前記報知手段は、前記登録情報が前記登録報知を実行しないことに対応していた場合には、当該登録報知を実行することなく遊技終了時刻を報知する時刻報知を予め固定された時刻報知時間に亘って実行する一方、前記登録情報が前記登録報知を実行することに対応していた場合には、遊技場の従業員の操作によって予め設定可能な登録報知時間に亘って当該登録報知を実行することを特徴とする請求項１又は２に記載の遊技場用システム。
【発明の詳細な説明】
【技術分野】
【０００１】
本発明は遊技場用システムに関する。
【背景技術】
【０００２】
従来より、遊技場では遊技者に対して様々なサービスを行っている。例えば特許文献１には、会員登録を行った会員遊技者の会員口座において、会員遊技者が獲得した玉を貯玉として管理することが記載されている。
【先行技術文献】
【特許文献】
【０００３】
【特許文献１】特開２０１７−６４６１号公報
【発明の概要】
【発明が解決しようとする課題】
【０００４】
一般的に玉やメダルを獲得した場合には、その玉やメダルを景品に交換することができるが、会員遊技者であれば、獲得した玉やメダルを貯玉とすることができるので、その獲得した玉やメダルを必ずしも景品に交換する必要がなくなる。そのため、景品交換を行わなくとも良い分、会員遊技者の遊技終了時刻を、会員登録を行っていない非会員遊技者の遊技終了時刻よりも遅くする運用を採用する遊技場も存在している。
【０００５】
しかしながら、遊技場では、使用する遊技価値の種類（貸出単価）や遊技機の種類（機種）で区別して遊技機の管理を行うことがある。そのため、遊技終了時刻に関する報知についても、遊技機を管理するのと同様に、使用する遊技価値の種類や遊技機の種類で管理を行いたいと遊技場側で考えることが想定される。このような事情から、遊技終了時刻に関して遊技場側が望む運用を実現する上で未だ改善する余地がある。
【０００６】
本発明は、上記した事情に鑑みてなされたものであり、その目的は、遊技終了時刻に関して遊技場側が望む運用を実現し易くすることができる遊技場用システムを提供することにある。
【課題を解決するための手段】
【０００７】
請求項１に記載した発明によれば、会員登録を行った会員遊技者の遊技終了時刻である会員終了時刻を報知する特別報知を実行するか否かを特定可能な報知情報を遊技種類別に記憶し、複数の遊技機のそれぞれにおいて、自身が対応する遊技機の遊技種類において特別報知を実行することに対応した報知情報を記憶しており、且つ予め定められた報知条件が成立すると、遊技者に対して特別報知を実行するようにしたので、遊技種類別に特別報知を実行するか否かを遊技場側で選択することができる。これにより、遊技者が遅くまで遊技を行いたいと考える度合に応じて特別報知を実行するか否かを決定することや、遊技種類別に遊技終了時刻を異ならせる等、遊技終了時刻に関して遊技場側が望む運用を実現し易くすることができる。
【図面の簡単な説明】
【０００８】
【図１】本発明の一実施形態の遊技場用システムの全体構成を示す図
【図２】遊技情報表示装置の正面図
【図３】貸出機、遊技情報表示装置及び管理装置の機能ブロック図
【図４】閉店アナウンス設定画面を示す図
【図５】設定項目を示す図
【図６】遊技終了時刻のアナウンス演出を示す図（その１）
【図７】遊技終了時刻のアナウンス演出を示す図（その２）
【図８】遊技終了時刻のアナウンス演出を示す図（その３）
【図９】遊技終了時刻のアナウンス演出を示す図（その４）
【図１０】従業員呼出中演出を示す図
【図１１】延長遊技中演出を示す図
【発明を実施するための形態】
【０００９】
以下、本発明の一実施形態について図面を参照して説明する。
図１は、遊技場用システムの全体構成の概略図を示している。遊技場内には多数のパチンコ機１が設置されており、パチンコ機１に対応して貸出機２及び遊技情報表示装置３が設置されている。パチンコ機１、貸出機２及び遊技情報表示装置３は、中継装置４及びＬＡＮ５を介して管理装置６と接続されている。尚、貸出機２は、中継装置４及びＬＡＮ５を介して管理装置６と接続されているだけでなく、中継装置４を介さずにＬＡＮ５を介して管理装置６と直接接続されていても良い。又、遊技場にはＰＯＳや残高精算機（何れも図示せず）も設置されており、これらＰＯＳや残高精算機もＬＡＮ５を介して管理装置６と接続されている。尚、図１では図示を省略したが、実際には例えば数百台のパチンコ機１が管理装置６の管理対象となっている。
【００１０】
管理装置６は、遊技場内の例えば事務室等に設置されており、遊技場の管理者が操作するキーボード７、モニタ８、プリンタ（図示せず）等が接続されている。管理装置６は、遊技機側（パチンコ機１、貸出機２等）から送信される遊技信号を受信してパチンコ機１の遊技データ、会員登録を行った会員遊技者の個人データ等を管理する。
【００１１】
パチンコ機１は、ＣＲ（カードリーダ）パチンコ機であり、盤面９に玉を発射する発射装置を構成する操作ハンドル１０、上部受皿１１、下部受皿１２を有すると共に、盤面９に、液晶表示部１３、普図入賞口１４、第１始動口１５、第２始動口１６、大入賞口１７を有する。又、上部受皿１１には貸出ボタン１８及び返却ボタン１９が並設されている。
【００１２】
パチンコ機１は以下のように動作する。
（１）第１始動口１５は入賞率が変動しない入賞口（所謂ヘソ入賞口）であり、第２始動口１６は入賞率が変動する入賞口（所謂電チュー）である。各始動口１５、１６への入賞（始動入賞）に応じて大当たり抽選を行い、抽選結果を液晶表示部１３にて行う図柄変動にて報知し、その変動結果に応じて大当たり状態となる。
【００１３】
（２）図柄変動中に始動入賞した場合には所定の保留上限値（例えば各４つ）まで図柄変動を累積的に保留し、図柄変動終了後に保留している図柄変動を開始する。尚、保留している図柄変動数（保留数）が上限値である状態で始動入賞した場合、図柄変動は保留されず、第２始動口１６に保留がある場合は第１始動口１５の保留に優先して保留している図柄変動を実行する。
【００１４】
（３）大当たり抽選の当選確率（大当たり確率）は１／２６０であり、大当たり状態の終了後に確変状態（確変）となる大当たり状態（確変大当たり状態）の割合である確変率は（通常状態、確変状態共に）６６．６％である。大当たり状態が発生すると対応するラウンド（Ｒ）分だけ大入賞口１８を開放する。
【００１５】
（４）対応するラウンドも大当たり抽選と同様に抽選され、その振分率は第１始動口１５に入賞した場合は４Ｒが５５％であり、１５Ｒが４５％であるが、第２始動口１６に入賞した場合は４Ｒが１０％であり、１５Ｒが９０％であり、入賞に応じた図柄変動の保留消化優先順位は第１始動口１５よりも第２始動口１６の方が高く設定されている。尚、１Ｒの上限入賞数は９個であり、上限開放期間は３０秒であり、上限入賞数又は上限開放期間の何れかが満たされた場合に１Ｒを終了する。
【００１６】
（５）確変中は大当たり確率が１／７４に向上すると共に、第２始動口１６への入賞率が高くなる時短状態（時短）になる。尚、確変状態は次回の大当たり状態まで継続するので、大当たり状態の終了後に大当たり状態でも確変状態でもない状態である通常遊技状態（通常状態）となる大当たり状態（通常大当たり状態）が発生するまで継続し、その後は所定数（例えば１００回）の図柄変動を行うまで時短状態となる。
【００１７】
（６）第２始動口１６は普図入賞口１５への入賞に応じて変動する普通図柄（普図）が当たりとなった場合に入賞率の高い開放状態となる。この場合、普図１回の変動時間は通常状態では３０秒であり時短状態では３秒となる。又、開放時間は通常状態では０．３秒を１回であり、時短状態では５秒を２回である。即ち、時短状態では通常状態と比較して普図変動期間が短くなる一方、開放期間は長くなること又は開放回数が増加することで第２始動口１６の入賞率が高くなる。以上に例示した値は機種に応じて様々な値となり、例えば大当たり確率やラウンドの振分等が異なる。
【００１８】
パチンコ機１及び当該パチンコ機１に付設された周辺機器は、遊技者による遊技の進行に伴って以下の遊技信号を送信する。
アウト信号＝消費玉を回収するアウトＢＯＸから送信される消費価値（アウト）を特定可能な信号である。消費（使用、打込、回収）玉１０玉に対して１パルスが送信されるので、「アウト信号数×１０」をアウトとして特定する。尚、パチンコ機１から送信される信号でも良い。
【００１９】
セーフ信号＝パチンコ機１から送信される入賞付与価値（セーフ）を特定可能な信号である。払出１０玉に対して１パルスが送信されるので、「セーフ信号数×１０」をセーフとして特定する。
【００２０】
始動信号＝パチンコ機１から送信される始動入賞（特定の入賞）により変動（作動）する液晶表示部１３（役物）におけるスタート処理（図柄変動、役物作動、単位遊技）を特定可能な信号である。図柄変動確定時に送信されるので、始動信号の受信に応じてスタート処理を特定し、「始動信号×１」をスタート回数（スタート処理数）として特定する。尚、第１始動口１５又は第２始動口１６への入賞を示す信号としても良い。
【００２１】
大当たり信号＝パチンコ機１から送信される大当たり期間を特定可能な信号である。大当たり中にレベル送信される状態信号であるので、大当たり信号の受信中を大当たり中として特定する。
【００２２】
特定状態信号＝パチンコ機１から送信される特定状態（甘中）を特定可能な信号である。第２始動口１６の入賞率が向上する特定状態中（時短中）にレベル送信される状態信号であるので、特定状態信号の受信中を特定状態中として特定する。又、大当たり信号と特定状態信号の何れも受信していない期間を通常状態として特定する。
【００２３】
貸出機２は、各台計数機能を有する貸出機である。貸出機２は、パチンコ機１の遊技状態を示す状態表示部２０、貨幣（貨幣価値、有価価値）が投入される貨幣投入口２１、遊技者からの操作入力を受け付けると共に遊技の進行に伴って図柄変動回数（スタート回数）や大当たり確率等の遊技データを表示するタッチパネル式の液晶表示部２２、持玉（会員遊技者であれば貯玉も含む）を払い出すための払出ボタン２３、払い出された玉が通過する払出ノズル２４、ＩＣカードが挿入されるカード挿入口２５（受付手段に相当する）、対応するパチンコ機１を遊技する遊技者の顔を撮影するカメラ２６、パチンコ機１の下部受皿１２の下方に位置する着脱可能な計数受皿２７を有する。
【００２４】
図２に示すように、遊技情報表示装置３は、各種の遊技データを表示する表示部２８、遊技場の従業員を呼び出すための呼出ボタン２９、複数のボタンからなるボタン群３０、イルミネーション演出を行うイルミネーション演出部３１等を有する。表示部２８は、正面から見て表示領域の左方に配置されているセグメント表示部３２、セグメント表示部３２の下方に配置されているスタート回数表示部３３、正面から見て表示領域の右方に配置されている液晶表示部３４（報知手段に相当する）を有する。
【００２５】
セグメント表示部３３は、第１の表示部３５、第２の表示部３６、第３の表示部３７を有する。第１の表示部３５、第２の表示部３６、第３の表示部３７は、それぞれ７個の発光部を有し、それぞれの点灯消灯により「０」〜「９」の数字を表示し、大当たり回数等の遊技データを表示する。液晶表示部３４は、当日、１日前、２日前のそれぞれの大当たり回数や初当たり回数、大当たり内訳、大当たり確率や初当たり確率、持玉数、出玉や差玉の時系列変化を示すスランプグラフ等を表示する。ボタン群３０は、サービスボタン３０ａ、最初に戻るボタン３０ｂ、グラフボタン３０ｃ、履歴ボタン３０ｄ、過去ボタン３０ｅ、情報ボタン３０ｆを有する。
【００２６】
図３は、貸出機２、遊技情報表示装置３及び管理装置６の機能ブロック図を示している。貸出機２は、ＣＰＵ３８ａ、ＲＯＭ３８ｂ、ＲＡＭ３８ｃ、Ｉ／Ｏ３８ｄを有するマイクロコンピュータにより構成される制御部３８（受付手段に相当する）と、当該制御部３８と接続された周辺部とを有する。制御部３８は、各種処理プログラム（ソフトウェア）を実行し、貸出機２の動作を制御する。周辺部としては、中継装置４との間で各種信号や各種情報を送受信するＩ／Ｆ部３９、状態表示部２０、液晶表示部２２、払出ボタン２３、貨幣投入口２１に投入された貨幣の真贋を判定する貨幣処理部４０、液晶表示部２２上に設けられたタッチパネル４１、ＩＣカードがカード挿入口２５に挿入されている状態で（受付中の状態で）当該ＩＣカードに対する各種情報の読み書きを行うカードリーダライタ（カードＲＷ）４２、最大で１０枚の一般カードをストック可能なカードストック部４３、玉を払出ノズル２４から払い出す払出部４４、計数受皿２７から流入する玉を計数する計数部４５等である。
【００２７】
貸出機２は以下のように動作する。
（１）カードストック部４３にストックしている一般カードの枚数（残り枚数）を検知する機能を有し、貨幣が貨幣投入口２１に投入されると、その時点での残り枚数が１枚以上であることを条件として貨幣を受け付け、その投入された貨幣の金額である投入金額を残高としてＲＡＭ３８ｃに記憶すると共に、その残高を液晶表示部２２に表示する。この状態（残高がある状態）からパチンコ機１の貸出ボタン１８が操作されると、その貸出ボタン１８の操作に応じて残高の範囲内で１度数分に相当する玉数の玉をパチンコ機１内部の払出機構から貸し出す毎に貸出玉数を特定可能な売上信号を送信する。例えば貸出単価が４円であれば１２５玉を払い出し、貸出単価が１円であれば５００玉を払い出す。このとき、パチンコ機１から貸出機２に１度数分の玉を払い出したことを示す信号が送信されるので、ＲＡＭ３８ｃに記憶している残高及び液晶表示部２２に表示させている残高から１度数分を減算する。売上信号は１度数分の玉を払い出す毎に１パルスが送信されるパルス信号であるので、１パルスを５００円分の売上額として特定する。尚、カードストック部４３に一般カードを１枚もストックしていない、即ち、一般カードの残り枚数が０枚であるときには、貨幣の受け付けを禁止する。
【００２８】
（２）パチンコ機１の下部受皿１２から落下した玉が計数受皿２７で受けられると、その計数受皿２７で受けられた玉が計数部４５に流入することで玉を計数し、その計数した玉数である計数玉数を持玉数としてＲＡＭ３８ｃに記憶すると共に、その持玉数を液晶表示部２２に表示する。この状態（持玉数がある状態）から払出ボタン２３が操作されると、その払出ボタン２３の操作に応じて計数玉数（持玉数）又は貯玉数（会員遊技者の場合）の範囲内で１度数分に相当する玉数の玉をパチンコ機１内部の払出機構から払い出す。このとき、ＲＡＭ３８ｃに記憶している持玉数及び液晶表示部２２に表示させている持玉数から１度数分を減算すると共に、払い出した遊技媒体の数を示す払出玉数を特定可能な払出信号を送信する。尚、持玉数が１度数分に相当する玉数に満たない場合であれば、その１度数に満たない分の全ての玉数の玉をパチンコ機１内部の払出機構から払い出し、同様に、ＲＡＭ３８ｃに記憶している持玉数及び液晶表示部２２に表示させている持玉数から１度数に満たない分を減算する。
【００２９】
（３）一般カードがカード挿入口２５に挿入されると（受け付けられると）、一般カードに記録されている残高や持玉数をカードリーダライタ４２により読み出し、その読み出した残高や持玉数をＲＡＭ３８ｃに記憶する（一般カードからＲＡＭ３８ｃへとデータを移行する）と共に液晶表示部２２に表示する。このとき、一般カードに記録されている残高や持玉数をゼロリセットする（初期化する、一般カードの残高や持玉数のデータを消去する）。一般カードが受け付けられたときは、その一般カードから読み出した残高や持玉数の範囲内で貸出処理及び払出処理を行う。
【００３０】
（４）会員カードがカード挿入口２５に挿入されると（受け付けられると）、会員カードに記録されている残金をカードリーダライタ４２により読み出し、その読み出した残金をＲＡＭ３８ｃに記憶する（会員カードからＲＡＭ３８ｃへとデータを移行する）と共に液晶表示部２２に表示する。このとき、会員カードに記録されている残金をゼロリセットする（初期化する、会員カードの残金のデータを消去する）。又、暗証番号の操作入力を条件として管理装置６の会員口座に記憶されている貯玉数を受信することで、会員カードに対応する貯玉数もＲＡＭ３８ｃに記憶すると共に液晶表示部２２に表示する。会員カードが受け付けられたときは、会員カードから読み出した残金、その会員カードに対応する貯玉数の範囲内で貸出処理及び払出処理を行う。尚、会員カードは記録媒体に相当し、会員カードに記録されている会員ＩＤは会員遊技者を識別することが可能な識別情報に相当する。
【００３１】
（５）パチンコ機１の返却ボタン１９が操作されると、その返却ボタン１９が操作された時点での一般カードや会員カードの受け付け状態に応じて残高や持玉数を一般カードや会員カードに記録して発行する。返却ボタン１９が操作された時点で一般カードがカード挿入口２５に挿入されており、残高及び持玉数のうち少なくとも何れかがあれば（「０」でなければ）、ＲＡＭ３８ｃに記憶している残高や持玉数を当該一般カードに記録し（ＲＡＭ３８ｃから一般カードへとデータを移行し）、一般カードを発行する。このとき、ＲＡＭ３８ｃに記憶している残高や持玉数をゼロリセットする（初期化する、ＲＡＭ３８ｃの残高や持玉数のデータを消去する）。一般カードを発行すると、カードを特定可能な一般ＩＤと共に一般カードに記録した残高や持玉数を特定可能な発行信号を管理装置６に送信し、一般カードに記録した残高や持玉数を管理装置６でも記憶して管理する。
【００３２】
（６）返却ボタン１９が操作された時点で会員カードがカード挿入口２５に挿入されており、残金があれば、ＲＡＭ３８ｃに記憶している残金を当該会員カードに記録し（ＲＡＭ３８ｃから会員カードへとデータを移行し）、会員カードを発行する。又、返却ボタンが操作された時点で会員カードがカード挿入口２５に挿入されており、持玉数があれば、ＲＡＭ３８ｃに記憶している持玉数を当該会員カードに記録せず（ＲＡＭ３８ｃから会員カードへとデータを移行せず）、会員カードを発行する。会員カードを発行すると、カードを特定可能な会員ＩＤと共に会員カードに記録した残金や記録しなかった持玉数を特定可能な発行信号を管理装置６に送信し、会員カードに記録した残金や記録しなかった持玉数を管理装置６で記憶して管理する。即ち、持玉数を特定可能な発行信号を管理装置６に送信することで、持玉数を管理装置６の会員口座に貯玉数として記憶させる（ＲＡＭ３８ｃから会員口座へとデータを移行する）。このときも、ＲＡＭ３８ｃに記憶している残金や持玉数をゼロリセットする（初期化する、ＲＡＭ３８ｃの残金や持玉数のデータを消去する）。
【００３３】
（７）返却ボタン１９が操作された時点で一般カード及び会員カードの何れもカード挿入口２５に挿入されておらず、残高及び持玉数のうち少なくとも何れかがあれば、その時点での一般カードの残り枚数が２枚以上であることを条件とし、そのうちの１枚の一般カードをカード移動機構（図示せず）によりカードリーダライタ４２に繰り出し（セットし）、ＲＡＭ３８ｃに記憶している残高や持玉数を記録し（ＲＡＭ３８ｃから一般カードへとデータを移行し）、一般カードを発行する。このときも、ＲＡＭ３８ｃに記憶している残高や持玉数をゼロリセットする（初期化する、ＲＡＭ３８ｃの残高や持玉数のデータを消去する）。又、この場合も、一般カードを発行すると、カードを特定可能な一般ＩＤと共に一般カードに記録した残高や持玉数を特定可能な発行信号を管理装置６に送信し、一般カードに記録した残高や持玉数を管理装置６でも記憶して管理する。
【００３４】
（８）一般カードがカード挿入口２５に挿入されている状態で所定の合算操作が行われると、一般カードに記録されている残金や持玉数を会員カードの残金や管理装置６の会員口座の貯玉数に合算して記録する。即ち、一般カードがカード挿入口２５に挿入されている状態で所定の合算操作が行われると、その一般カードに記録されている残金や持玉数をＲＡＭ３８ｃに一旦退避し、一般カードの残金や持玉数をゼロリセットし、そのゼロリセットした一般カードをカード移動機構によりカードストック部４３に回収する。そして、会員カードがカード挿入口２５に挿入されると、ＲＡＭ３８ｃに退避しておいた残金を当該会員カードに記録されている残金に加算した値に上書き記録し、会員カードに対応する貯玉数を管理装置６から取得してＲＡＭ３８ｃに退避しておいた持玉数に加算し、その貯玉数を加算した持玉数を特定可能な信号を管理装置６に送信し、会員カードを発行する。尚、このような一般カードから会員カードへの合算は許容するが、会員カードから一般カードへの合算は禁止する。
【００３５】
遊技情報表示装置３は、ＣＰＵ４６ａ、ＲＯＭ４６ｂ、ＲＡＭ４６ｃ、Ｉ／Ｏ４６ｄを有するマイクロコンピュータにより構成される制御部４６（終了時刻記憶手段、報知情報記憶手段、報知手段、遅延条件特定手段に相当する）と、当該制御部４６と接続された周辺部とを有する。制御部４６は、各種処理プログラム（ソフトウェア）を実行し、遊技情報表示装置３の動作を制御する。周辺部としては、中継装置４との間で各種信号や各種情報を送受信するＩ／Ｆ部４７、表示部２８、呼出ボタン２９、ボタン群３０、イルミネーション演出部３１、遊技場の従業員が所持する従業員リモコン４８から送信されたリモコン信号を受信する受光部４９等である。
【００３６】
管理装置６は、ＣＰＵ５０ａ、ＲＯＭ５０ｂ、ＲＡＭ５０ｃ、Ｉ／Ｏ５０ｄを有するマイクロコンピュータにより構成される制御部５０（終了時刻記憶手段、報知情報記憶手段に相当する）と、中継装置４との間で各種信号や各種情報を送受信するＩ／Ｆ部５１とを有する。制御部５０は、各種処理プログラム（ソフトウェア）を実行し、管理装置６の動作を制御する。
【００３７】
さて、前述した［発明が解決しようとする課題］で述べたように、遊技場用システムでは、遊技場側が遊技者に対してアナウンスする遊技終了時刻に関して遊技場側が望む運用を実現したいという要望がある。この点を考慮し、管理装置６、貸出機２、遊技情報表示装置３は、以下の機能を有する。
【００３８】
図３は、遊技場の従業員が管理装置６にて設定する閉店アナウンス設定画面を示しており、図４は、遊技場の従業員が閉店アナウンス設定画面で設定する設定項目を示している。遊技場の従業員は、閉店アナウンス設定画面では、共通の設定項目として、遊技終了時刻と、会員登録ガイダンス表示時間と、会員自動延長遊技とを設定可能であり、種別毎の設定項目として、延長時間設定と、演出表示と、演出表示タイミングと、音声演出と、会員登録ガイダンス表示とを設定可能である。各項目は以下の通りである。
【００３９】
遊技終了時刻＝曜日毎の一般遊技者の遊技終了時刻である一般終了時刻であり、会員登録を行っていない非会員遊技者の非会員終了時刻に相当する。時刻を示す数値を入力して設定可能であり、オールナイト営業の場合であれば、１日目の曜日の遊技終了時刻として「９９：９９」を入力し、２日目の曜日の遊技終了時刻として実際の遊技終了時刻を入力する。
【００４０】
会員登録ガイダンス表示時間＝遊技情報表示装置３において会員登録を促す会員登録ガイダンスの表示時間であり、登録情報の登録報知時間に相当する。即ち、会員登録ガイダンスを表示することは会員登録を促す登録報知を実行することに相当する。秒を示す数値を入力して秒単位で設定可能であり、デフォルト値は例えば「１２０」である。「０」を入力すれば、会員登録ガイダンスの表示を行わず、登録報知を実行しないことになり、「０」以外の数値を入力すれば、会員登録ガイダンスの表示を行い、登録報知を実行することになる。例えばデフォルト値のまま「１２０」の設定を継続すれば、会員登録ガイダンスを「１２０」秒だけ表示し続け、その会員登録ガイダンスの表示中に一般遊技者が例えばサービスボタン３０ａを押下する等の会員登録操作を行うと、会員登録の手続きを行うことができる。
【００４１】
会員自動延長遊技＝遊技情報表示装置３において会員カードの受け付け状態で遊技終了時刻の経過後に会員遊技者が遊技中であるか否かを示す延長遊技中演出の表示有無及び表示方法である。「無」、「ＬＥＤのみ」、「表示＋ＬＥＤ」のうちから何れかを選択して設定可能であり、デフォルト値は「無」である。「無」を選択すれば、延長遊技中演出の表示とＬＥＤによるイルミネーション演出との両方を行わず、「ＬＥＤのみ」を選択すれば延長遊技中演出の表示を行わないがイルミネーション演出を行い、「表示＋ＬＥＤ」を選択すれば、延長遊技中演出の表示とＬＥＤによるイルミネーション演出との両方を行う。
【００４２】
延長時間設定＝会員遊技者の延長遊技時間であり、前述した遊技終了時刻に本設定の数値が加算された時刻が会員登録を行った会員遊技者の会員終了時刻に相当する。分を示す数値を入力して分単位で設定可能であり、デフォルト値は例えば「０」である。例えば遊技終了時刻に「２２：４０」を入力し、延長時間設定に「１０」を入力すれば、一般遊技者の遊技終了時刻は「２２：４０」となり、会員遊技者の遊技終了時刻は「２２：４０」から「１０」分後の「２２：５０」となる。延長時間設定に「０」を入力すれば、遊技情報表示装置３において、会員遊技者の遊技終了時刻を表示せず、一般遊技者の遊技終了時刻のみの表示を行う。
【００４３】
演出表示＝遊技情報表示装置３において遊技終了時刻のアナウンス演出の表示有無である。「する」、「しない」の何れかを選択して設定可能であり、デフォルト値は「する」である。「する」を選択すれば、遊技終了時刻のアナウンス演出の表示を行い、「しない」を選択すれば、遊技終了時刻のアナウンス演出の表示を行わない。
【００４４】
演出表示タイミング＝前述した演出表示において「する」を選択した場合の遊技終了時刻のアナウンス演出の表示を開始するタイミングであり、遊技終了時刻から本設定の数値が減算された時刻に遊技終了時刻のアナウンス演出の表示を開始する。即ち、遊技終了時刻から本設定の数値が減算された時刻になることは予め定められた報知条件が成立することに相当する。分を示す数値を入力して分単位で複数の設定を設定可能であり、デフォルト値は例えば設定１が「６０」、設定２が「３０」、設定３が「１０」である。例えば遊技終了時刻に「２２：４０」を入力し、演出表示タイミングに「６０」を入力すれば、遊技終了時刻のアナウンス演出の表示を「２２：４０」よりも「６０」分前の「２１：４０」から開始する。
【００４５】
音声演出＝遊技終了時刻のアナウンス演出の表示を行うときの音声演出の音量である。「大」、「中」、「小」、「無」の何れかを選択して設定可能であり、デフォルト値は「大」である。
【００４６】
会員登録ガイダンス表示＝会員登録ガイダンスの表示有無であり、遊技者に対して会員登録を促す登録報知を実行するか否かを特定可能な登録情報に相当する。「する」、「しない」の何れかを選択して設定可能であり、デフォルト値は「しない」である。「する」を選択すれば、会員登録ガイダンス表示時間に亘って遊技終了時刻のアナウンス演出の表示を行うと共に会員登録ガイダンスの表示を行い、「しない」を選択すれば、予め固定された時刻報知時間（例えば２０秒）に亘って遊技終了時刻のアナウンス演出の表示を行うが、会員登録ガイダンスの表示を行わない。即ち、登録情報が登録報知を実行しないことに対応していた場合には、当該登録報知を実行しない一方、登録情報が登録報知を実行することに対応していた場合には、遊技場の従業員の操作によって予め設定可能な登録報知時間に亘って当該登録報知を実行する。
【００４７】
尚、図４の例示では、遊技機１の種別として、「パチンコ（全体）」、「パチスロ（全体）」、「種別１（４円玉）」、「種別２（１円玉）」、「種別３（２０円メダル）」、「種別４（５円メダル）」を示している。このように「パチンコ（全体）」と「種別１（４円玉）」や「種別２（１円玉）」とが同時に設定されている場合には、貸出単価が４円や１円のパチンコ機１に対応する遊技情報表示装置３では「パチンコ（全体）」の設定よりも「種別１（４円玉）」や「種別２（１円玉）」の設定を優先する。同様に「パチスロ（全体）」と「種別３（２０円メダル）」や「種別４（５円メダル）」とが同時に設定されている場合には、貸出単価が２０円や５円のパチスロ遊技機に対応する遊技情報表示装置３では「パチスロ（全体）」の設定よりも「種別３（２０円メダル）」や「種別４（５円メダル）」の設定を優先する。
【００４８】
又、種別毎に複数の設定を登録可能であり、図４の例示では、設定１、設定２、設定３の３種類の設定を登録可能な場合を示している。この場合、遊技情報表示装置３において、遊技終了時刻のアナウンス演出の未表示中では、遊技終了時刻のアナウンス演出の表示開始を若番の設定を優先して行う。例えば遊技終了時刻が「２２：４０」であり、設定１の演出表示タイミングが「６０」であり、設定２の演出表示タイミングが「３０」であれば、設定１の演出表示タイミングを優先し、遊技終了時刻のアナウンス演出の表示を「２２：４０」よりも「３０」分前の「２２：１０」から開始するのではなく、「２２：４０」よりも「６０」分前の「２１：４０」から開始する。
【００４９】
又、複数の設定が同時に設定されていれば、それら複数の設定を有効とする。即ち、遊技情報表示装置３において、遊技終了時刻のアナウンス演出の表示中では、遊技終了時刻のアナウンス演出の表示を後優先で継続して行い、例えば遊技終了時刻が「２２：４０」であり、設定１の演出表示タイミングが「６０」であり、且つ会員登録ガイダンス表示が「しない」であり、設定２の演出表示タイミングが「３０」であり、且つ会員登録ガイダンス表示が「する」であれば、遊技終了時刻のアナウンス演出の表示を「２１：４０」から開始したときには会員登録ガイダンスの表示を行わないが、遊技終了時刻のアナウンス演出の表示を開始してから３０分が経過したときに会員登録ガイダンスの表示を行う。又、複数の設定の演出表示タイミングが同じであれば、若番の設定を優先して行う。例えば設定１と設定２とが共に、演出表示が「する」であり、演出表示タイミングが「６０」であり、設定１の会員登録ガイダンス表示が「する」であり、設定２の会員登録ガイダンス表示が「しない」であれば、遊技終了時刻のアナウンス演出の表示を「２１：４０」から開始したときには会員登録ガイダンスの表示を行う。尚、図４の例示では、設定１及び設定２を同時に表示中の場合を示しているが、右スクロールすることで設定３を表示させることができ、設定１は消去されるが、設定２及び設定３を同時に表示させることができる。
【００５０】
このようにして遊技場の従業員が閉店アナウンス設定画面にて各種設定を貸出単価（遊技価値の単価の種類）で区分して行うと、管理装置６において、制御部５０は、その設定情報をＲＡＭ５０ｃに記憶する。即ち、会員終了時刻及び非会員終了時刻を特定可能な終了時刻情報を記憶すると共に、会員終了時刻を報知する特別報知を実行するか否かを特定可能な報知情報を遊技種類別に記憶する。そして、制御部５０は、そのＲＡＭ５０ｃに記憶した設定情報を予め定められた送信タイミングで遊技情報表示装置３に送信する。遊技情報表示装置３において、制御部４６は、管理装置６から送信された設定情報を受信すると、その設定情報をＲＡＭ４６ｃに記憶する。即ち、会員終了時刻及び非会員終了時刻を特定可能な終了時刻情報を記憶すると共に、会員終了時刻を報知する特別報知を実行するか否かを特定可能な報知情報を遊技種類別に記憶する。そして、制御部４６は、遊技終了時刻から演出表示タイミングの数値が減算された時刻になると（予め定められた報知条件が成立すると）、遊技終了時刻のアナウンス演出の表示を液晶表示部３４にて行う。以下、遊技情報表示装置３が行う遊技終了時刻のアナウンス演出の表示について説明する。
【００５１】
図６は、閉店アナウンス設定画面の設定操作において、遊技終了時刻に「２２：４０」を入力し、延長時間設定に「０」を入力し、演出表示で「する」を選択し、演出表示タイミングに「０」以外の数値を入力し、会員登録ガイダンス表示で「しない」を選択した場合である。この場合、遊技情報表示装置３は、遊技終了時刻から演出表示タイミングの数値が減算された時刻になると、遊技終了時刻のアナウンス演出の表示を液晶表示部３４にて行い、一般終了時刻の表示を行うが、会員遊技者の遊技終了時刻である会員終了時刻の表示を行わず、会員登録ガイダンスの表示も行わない。
【００５２】
図７は、閉店アナウンス設定画面の設定操作において、遊技終了時刻に「２２：４０」を入力し、延長時間設定に「１０」を入力し、演出表示で「する」を選択し、演出表示タイミングに「０」以外の数値を入力し、会員登録ガイダンス表示で「しない」を選択した場合である。この場合、遊技情報表示装置３は、遊技終了時刻から演出表示タイミングの数値が減算された時刻になると、一般終了時刻の表示を行うと共に、会員終了時刻の表示を行うが、会員登録ガイダンスの表示を行わない。
【００５３】
図８は、閉店アナウンス設定画面の設定操作において、遊技終了時刻に「２２：４０」を入力し、延長時間設定に「０」を入力し、演出表示で「する」を選択し、演出表示タイミングに「０」以外の数値を入力し、会員登録ガイダンス表示で「する」を選択した場合である。この場合、遊技情報表示装置３は、遊技終了時刻から演出表示タイミングの数値が減算された時刻になると、一般終了時刻の表示を行うが、会員終了時刻の表示を行わず、会員登録ガイダンスの表示を行う。尚、図８では、会員登録ガイダンスの表示として『会員登録をご希望の方は「サービス（★）」ボタンを押してお待ちください。』を例示しているが、別の表示態様でも良いし、会員登録を一般遊技者に促し得る情報であれば動画や静止画等の画像を採用しても良い。
【００５４】
図９は、閉店アナウンス設定画面の設定操作において、遊技終了時刻に「２２:４０」を入力し、延長時間設定に「１０」を入力し、演出表示で「する」を選択し、演出表示タイミングに「０」以外の数値を入力し、会員登録ガイダンス表示で「する」を選択した場合である。この場合、遊技情報表示装置３は、遊技終了時刻から演出表示タイミングの数値が減算された時刻になると、一般終了時刻の表示を行うと共に、会員終了時刻の表示を行い、会員登録ガイダンスの表示を行う。尚、図６〜図９に示した遊技終了時刻のアナウンス演出の表示中に遊技者が最初に戻るボタン３０ｂを押下すると、遊技終了時刻のアナウンス演出が消去され、遊技終了時刻のアナウンス演出が表示される前の状態に戻る。又、遊技終了時刻のアナウンス演出の表示を開始してから予め固定された時刻報知時間や遊技場の従業員の操作によって予め設定可能な登録報知時間が経過したときにも、遊技終了時刻のアナウンス演出が消去され、遊技終了時刻のアナウンス演出が表示される前の状態に戻る。
【００５５】
図１０は、図８や図９に示したように会員登録ガイダンスの表示中に一般遊技者がサービスボタン３０ａを押下した場合であり、遊技情報表示装置３において、会員登録の手続きを行うために遊技場の従業員が来る旨を知らせる演出、即ち、従業員呼出中演出の表示を行う場合を示している。尚、図１０に示した従業員呼出中演出の表示中に遊技場の従業員が従業員リモコン４８にて所定操作を行うと、従業員呼出中演出が消去され、従業員呼出中演出が表示される前の状態に戻る。尚、図１０では、従業員呼出中演出の表示として『只今スタッフが参りますのでしばらくお待ちください』を例示しているが、別の表示態様でも良いし、遊技場の従業員が来る旨を一般遊技者に知らせ得る情報であれば動画や静止画等の画像を採用しても良い。
【００５６】
図１１は、閉店アナウンス設定画面の設定操作において、会員自動延長遊技で「表示＋ＬＥＤ」を選択し、会員カードの受け付け状態（記録媒体を受け付けたことに相当する）で一般終了時刻の経過後に会員遊技者が遊技を続けた場合であり、遊技情報表示装置３において、延長遊技中演出の表示を行う場合を示している。尚、遊技場の従業員が従業員リモコン４８にて所定操作を行った（遊技場の従業員による特別操作が行われたことに相当する）場合に、遊技情報表示装置３において、延長遊技中演出の表示を行っても良い（延長報知を実行することに相当する）。その場合、操作回数に応じて前述した閉店アナウンス設定画面における会員自動延長遊技の「無」、「ＬＥＤのみ」、「表示＋ＬＥＤ」の設定に対応し、操作回数に応じて、延長遊技中演出の表示とＬＥＤによるイルミネーション演出との両方を行わない態様、延長遊技中演出の表示を行わないがイルミネーション演出を行う態様、延長遊技中演出の表示とＬＥＤによるイルミネーション演出との両方を行う態様を切替えても良い。尚、図１１では、延長遊技中演出として『延長遊技中』を例示しているが、別の表示態様でも良いし、会員カードの受け付け状態で一般終了時刻の経過後に会員遊技者が遊技を続けた旨を知らせ得る情報であれば動画や静止画等の画像を採用しても良い。
【００５７】
以上に説明したように本実施形態によれば、次に示す効果を得ることができる。
遊技場用システム１において、会員遊技者の遊技終了時刻である会員終了時刻を報知するか否かを遊技価値の単価である貸出単価別に設定可能とし、予め定められた報知条件が成立すると、一般遊技者の遊技終了時刻である一般終了時刻及び会員終了時刻を知らせる遊技終了時刻のアナウンス演出の表示を行うようにしたので、遊技種類別に会員終了時刻を報知するか否かを遊技場側で選択することができ、遊技者が遅くまで遊技を行いたいと考える度合に応じて会員終了時刻を報知するか否かを決定することや、遊技種類別に遊技終了時刻を異ならせる等、遊技終了時刻に関して遊技場側が望む運用を実現し易くすることができる。
【００５８】
又、遊技場用システム１において、延長遊技中演出の表示を行うのに遊技場の従業員による従業員リモコン４８の所定操作を要するようにすれば、延長遊技中演出の表示を行うのに遊技場の従業員による確認作業を発生させることができ、例えば他人から借りた会員カードを使用したり会員カードを一時的に使用したりする等の遊技者が不正に遊技終了時刻を遅らせる余地を低減することができる。又、従業員リモコン４８の所定操作を要するようにすれば、その所定操作の履歴を管理することで延長遊技のニーズを遊技場側で把握することができ、遊技終了時刻に関して遊技場側が望む運用をより一層実現し易くすることができる。即ち、従業員リモコン４８の所定操作が比較的多ければ延長遊技のニーズが比較的高いと判断する一方、従業員リモコン４８の所定操作が比較的少なければ延長遊技のニーズが比較的低いと判断することができ、遊技種類と対応付けることで、延長遊技のニーズの度合を遊技種類で区分して管理することができる。
【００５９】
又、遊技場用システム１において、遊技終了時刻の表示時間を固定とする一方、会員登録ガイダンスの表示時間を可変としたので、遊技場側の会員登録を促したいニーズに応じて会員登録ガイダンスの表示時間を任意に選択することができる。即ち、一般遊技者が好んで遊技する遊技機１に対応する遊技情報表示装置３では、会員登録ガイダンスの表示時間を比較的長く設定することで、会員登録を積極的に促すことができ、会員遊技者が好んで遊技する遊技機１に対応する遊技情報表示装置３では、会員登録ガイダンスの表示時間を比較的短く設定したり会員登録ガイダンスの表示をしなかったりすることで、会員登録ガイダンスの表示を会員遊技者が鬱陶しいと感じる虞を軽減することができる。又、遊技終了時刻の表示時間を固定とすることで、その分、設定項目の項目数を削減することができ、遊技場の従業員の作業負担を軽減すると共に煩雑化を抑制することができる。
【００６０】
本発明は、上記した実施形態にのみ限定されるものではなく、以下のように変形又は拡張することができる。又、以下に列挙する各変形例を適宜組み合わせても良い。
本実施形態では、遊技機として玉を払い出すパチンコ機１を例示したが、スロットマシンであっても良いし、玉が封入されており得点（遊技価値）を消費して玉を発射する封入式パチンコ機やメダルを使用することなく遊技が進行する完全クレジット式スロットマシンであっても良い。
【００６１】
本実施形態では、遊技機１の種別である遊技種類として、４円玉、１円玉、２０円メダル、５円メダルを例示したが、例示した種別に替えて又は加え、２円玉や０円メダル等を採用することも可能である。又、使用する遊技価値の単価（貸出単価）で種別を区別する場合を例示したが、マックスタイプ、ミドルタイプ、ライトミドルタイプ等の大当たり確率や初当たり確率に基づくタイプで種別を区別したり、機種Ａや機種Ｂ等の遊技機１の機種で種別を区別したりことも可能である。即ち、マックスタイプ等のタイプや機種Ａ等の機種が遊技機の種類に対応し、遊技機の種類をどのように区別しても良い。
【００６２】
本実施形態では、終了時刻情報及び報知情報を管理装置６と遊技情報表示装置３とで記憶する構成を例示したが、終了時刻情報及び報知情報を管理装置６のみで記憶しておき、遊技情報表示装置３において、遊技終了時刻のアナウンス演出の表示を行う際に、終了時刻情報及び報知情報を管理装置６に問合せ、管理装置６から送信される終了時刻情報及び報知情報を受信する構成としても良い。その場合、遊技情報表示装置３において、遊技終了時刻のアナウンス演出の表示を開始するタイミングを分散して終了時刻情報及び報知情報を管理装置６に問合せる時間帯を分散することで、管理装置６の通信負荷の集中を回避する構成としても良い。
【００６３】
本実施形態では、遊技終了時刻のアナウンス演出の表示を遊技情報表示装置３が行う構成を例示したが、遊技終了時刻のアナウンス演出の表示を貸出機２が行う構成としても良く、貸出機２が報知手段に対応する構成としても良い。
【００６４】
本実施形態では、演出表示タイミングを設定することで遊技終了時刻のアナウンス演出の表示の開始を時刻で管理する構成を例示したが、例えば予め定められた回数の大当たり状態が発生した場合や予め定められた数の玉やメダルを遊技者が獲得した場合に遊技終了時刻のアナウンス演出の表示の開始する構成としても良く、報知条件をどのように設定しても良い。
【００６５】
遊技終了時刻のアナウンス演出の表示を好む遊技者と嫌う遊技者との両方を想定し得るので、遊技終了時刻のアナウンス演出の表示中に遊技者が最初に戻るボタン３０ｂを押下したか否かの履歴を会員ＩＤと対応付けて管理し、会員遊技者が遊技終了時刻のアナウンス演出の表示を好むか嫌うかに応じて遊技終了時刻のアナウンス演出の表示を行うか否かを決定するようにしても良い。又、遊技終了時刻のアナウンス演出の表示を好む会員遊技者であっても、収支が高く、気分が高揚している最中に遊技終了時刻のアナウンス演出の表示が開始されると、その遊技者の気分を害することを想定し得るので、収支と関連付けて遊技終了時刻のアナウンス演出の表示の開始タイミングを調整しても良い。
【００６６】
本実施形態では、記録媒体としてＩＣカードを用いる構成を例示したが、会員遊技者か一般遊技者かを区別可能な構成であれば、携帯電話機やＩＣコインを用いても良いし、顔認証や指紋認証等の技術を適用しても良い。
【符号の説明】
【００６７】
図面中、１はパチンコ機（遊技機）、２５はカード挿入口（受付手段）、３４は液晶表示部（報知手段）、３８は制御部（受付手段）、４６は制御部（終了時刻記憶手段、報知情報記憶手段、報知手段、遅延条件特定手段）、５０は制御部（終了時刻記憶手段、報知情報記憶手段）である。
【図１】
2018175574.tif 000003
【図２】
2018175574.tif 000004
【図３】
2018175574.tif 000005
【図４】
2018175574.tif 000006
【図５】
2018175574.tif 000007
【図６】
2018175574.tif 000008
【図７】
2018175574.tif 000009
【図８】
2018175574.tif 000010
【図９】
2018175574.tif 000011
【図１０】
2018175574.tif 000012
【図１１】
2018175574.tif 000013